(57)【要約】【課題】光学装置の制御に有利な光学機器を提供する。【解決手段】光学装置（１０１）が着脱可能な光学機器（１０２）であって、前記光学装置を制御する制御手段（１２５）と、前記光学機器に着脱可能に取り付けられる第１の記録媒体（１３２）よりも通信速度が速い第２の記録媒体（１２４）と、を有し、前記制御手段は、前記第１の記録媒体に前記光学装置に関する情報が記録されている場合、前記情報を前記第２の記録媒体に転送し、前記第２の記録媒体から取得する前記情報に基づいて、前記光学装置を制御することを特徴とする。【選択図】  図１
2016032250.tif 000002
【特許請求の範囲】
【請求項１】
光学装置が着脱可能な光学機器であって、
前記光学装置を制御する制御手段と、
前記光学機器に着脱可能に取り付けられる第１の記録媒体よりも通信速度が速い第２の記録媒体と、を有し、
前記制御手段は、前記第１の記録媒体に前記光学装置に関する情報が記録されている場合、前記情報を前記第２の記録媒体に転送し、前記第２の記録媒体から取得する前記情報に基づいて、前記光学装置を制御することを特徴とする光学機器。
【請求項２】
前記制御手段は、前記第２の記録媒体の空き容量が所定量以下である場合は、前記第１の記録媒体から前記情報を取得することを特徴とする請求項１に記載の光学機器。
【請求項３】
前記制御手段は、前記情報を前記第２の記録媒体に転送している間に、撮影準備動作または撮影開始動作の指示があった場合は、前記転送を中断し、前記第１の記録媒体から前記情報を取得することを特徴とする請求項１または２に記載の光学機器。
【請求項４】
前記制御手段は、前記情報を前記第２の記録媒体に転送している間に、撮影準備動作または撮影開始動作の指示があった場合は、前記転送を中断し、前記光学装置から前記情報を取得することを特徴とする請求項１または２に記載の光学機器。
【請求項５】
前記制御手段は、前記第１の記録媒体に前記光学装置に関する情報が記録されていない場合、前記光学装置から前記情報を取得し、前記光学装置を制御することを特徴とする請求項１ないし４のいずれか１項に記載の光学機器。
【請求項６】
前記第１の記録媒体には、前記光学装置に関する複数の情報が記録され、
前記制御手段は、前記複数の情報から前記光学機器に応じた情報を選択することを特徴とする請求項１ないし４のいずれか１項に記載の光学機器。
【請求項７】
前記光学装置に関する情報は、前記光学装置を識別する固有識別データおよび前記光学装置の光学データのうち少なくとも１つを含むことを特徴とする請求項１ないし６のいずれか１項に記載の光学機器。
【請求項８】
前記第１の記録媒体に記録される前記光学データは、前記光学装置に設けられる第３の記録媒体に記録される前記光学装置の光学データを更新したものであることを特徴とする請求項７に記載の光学機器。
【請求項９】
前記第２の記録媒体は、前記制御手段の内部に組み込まれていることを特徴とする請求項１ないし８のいずれか１項に記載の光学機器。
【請求項１０】
前記光学機器は、被写体像を光電変換する撮像手段を有し、
前記第１の記録媒体は、前記撮像手段により取得される画像データを記録可能であり、前記画像データを消去する場合は、前記光学装置に関する情報を消去せずに残すことを特徴とする請求項１ないし９のいずれか１項に記載の光学機器。
【請求項１１】
前記制御手段は、前記光学装置が前記光学機器に装着されたときに、前記光学装置から該光学装置を識別する固有識別データを取得し、前記第１の記録媒体に前記固有識別データが無い場合は、前記第１の記録媒体に前記固有識別データを記録することを特徴とする請求項１ないし１０のいずれか１項に記載の光学機器。
【請求項１２】
光学装置と、
請求項１ないし１１のいずれか１項に記載の光学機器と、を備えた光学機器システム。
【請求項１３】
光学装置が着脱可能な光学機器の制御方法であって、
前記光学機器に着脱可能に取り付けられる第１の記録媒体に前記光学装置に関する情報が記録されているか否かを判定する判定ステップと、
前記第１の記録媒体に前記情報が記録されている場合に、前記情報を前記第１の記録媒体よりも通信速度が速い第２の記録媒体に転送する転送ステップと、
前記第２の記録媒体から取得する前記情報に基づいて、前記光学装置を制御する制御ステップと、
を有することを特徴とする光学機器の制御方法。
【発明の詳細な説明】
【技術分野】
【０００１】
本発明は、光学機器に関し、特に外部メモリが着脱可能な光学機器に関する。
【背景技術】
【０００２】
レンズユニットなどの光学装置が着脱可能なカメラユニットにおいては、光学装置からの情報に基づき、カメラユニットが種々の演算や制御を行うのが一般的である。
【０００３】
例えば、特許文献１には、オートフォーカス動作や露出動作に必要な各種データを交換レンズ内のＲＯＭに記憶させておき、カメラユニット側でその動作を行う際に交換レンズと通信を行って、そのデータを読み出すようにした技術が開示されている。
【０００４】
また、特許文献２には、交換レンズ内に蓄積されているデータの全てを、交換レンズの装着時または電源投入時に読み出して、カメラユニット内の記憶手段に記憶するようにした技術が開示されている。
【０００５】
更に、特許文献３には、交換レンズ内に蓄積されているデータの全てもしくは一部を、交換レンズの装着時または電源投入時に読み出して、カメラユニット内の記憶手段に記憶するようにした技術が開示されている。
【先行技術文献】
【特許文献】
【０００６】
【特許文献１】特公平５−５９４１１号公報
【特許文献２】特許公報第２８６８２２６号
【特許文献３】特開２００７−１２９５６３号公報
【発明の概要】
【発明が解決しようとする課題】
【０００７】
しかしながら、上述した特許文献１に記載の技術では、カメラユニットと交換レンズとのデータ通信が、各動作に於いてタイムラグとなり、カメラシステムとしての高速性を損なってしまうという課題を有している。
【０００８】
また、上記特許文献２に記載の技術は、レンズ装着時に大量のデータ通信が行われるため、レンズ装着が完了してから撮影可能な状態になるまでに大幅な時間がかかってしまうという課題を有している。
【０００９】
更に、上記特許文献１〜３に記載の技術では、交換レンズ内のメモリよりデータを読み出しているので、その交換レンズの製造後に開発されたカメラに搭載されている、最新方式での制御データに対応することが出来ない。
【００１０】
そこで、本発明の目的は、上記課題を鑑み、光学装置の制御に有利な光学機器、光学機器システム、および光学機器の制御方法を提供することである。
【課題を解決するための手段】
【００１１】
本発明の一側面としての光学機器は、光学装置が着脱可能な光学機器であって、前記光学装置を制御する制御手段と、前記光学機器に着脱可能に取り付けられる第１の記録媒体よりも通信速度が速い第２の記録媒体と、を有し、前記制御手段は、前記第１の記録媒体に前記光学装置に関する情報が記録されている場合、前記情報を前記第２の記録媒体に転送し、前記第２の記録媒体から取得する前記情報に基づいて、前記光学装置を制御することを特徴とする。
【００１２】
本発明の他の目的及び特徴は、以下の実施例において説明される。
【発明の効果】
【００１３】
本発明によれば、光学装置の制御に有利な光学機器、光学機器システム、光学機器の制御方法を提供することができる。
【図面の簡単な説明】
【００１４】
【図１】本発明の実施例にかかる光学機器システムの構成を示すブロック図である。
【図２】本発明の実施例にかかるメモリに格納されているデータの一例を示す図である。
【図３】図３（ａ）は、本発明の実施例にかかる外部メモリにアクセサリー固有識別データを記録する状態を示す図である。図３（ｂ）は、本発明の実施例にかかる外部メモリにアクセサリー固有識別データの記録が完了した状態を示す図である。
【図４】図４（ａ）は、本発明の実施例にかかるカメラユニットの内部メモリに光学データを記録する状態を示す図である。図４（ｂ）は、本発明の実施例にかかるカメラユニットの内部メモリに光学データの記録が完了した状態を示す図である。
【図５】本発明の実施例にかかる光学機器の制御方法を示すフローチャートである。
【図６】図５に示すステップＳ１３０以降のフローチャートである。
【図７】図５に示すフローチャートの変形例である。
【図８】図６に示すフローチャートの変形例である。
【発明を実施するための形態】
【００１５】
以下に、本発明の好ましい実施の形態を、添付の図面に基づいて詳細に説明する。本発明の光学機器システムは、光学装置（レンズユニットやストロボユニット等のアクセサリー装置）と、光学機器（カメラユニットやプロジェクター等）と、を有する。なお、本実施例において光学装置は、光学機器に対して着脱可能に構成される。
【実施例１】
【００１６】
以下、本発明の第１の実施例としてのレンズ交換式カメラ（光学機器システム）について、図１を参照して詳細に説明する。
【００１７】
図１はレンズ交換式デジタルカメラ１００の構成を示すブロック図である。
【００１８】
レンズ交換式デジタルカメラ１００（カメラシステム）は、レンズ側ユニットであるレンズユニット１０１（光学装置）と、レンズユニット１０１が着脱可能なカメラ側ユニットであるカメラユニット（撮像装置）１０２と、を有する。
【００１９】
レンズユニット１０１は、入射光を収束、結像する光学系と、光学系を制御する制御系と、接続部とを有する。
【００２０】
光学系は、第１の固定レンズ１０３、変倍レンズ１０４、絞り１０５、第２の固定レンズ１０７、フォーカスレンズ１０８を有する。
【００２１】
フォーカスレンズ１０８はピント調節と変倍によるピント位置の補正を行う。レンズユニット１０１へ入射した被写体からの光は光学系を通り、光電変換を行う撮像素子１１８上で結像される。
【００２２】
制御系は、レンズシステムコントローラ１１６、第１のフラッシュメモリ１１７を有する。第１のフラッシュメモリ１１７は、本実施例ではレンズシステムコントローラ１１６の内部に組み込まれたメモリ領域であるが、これに限定されず、レンズシステムコントローラ１１６の外部に設けられても良い。
【００２３】
第１のフラッシュメモリ１１７には、レンズユニット１０１のすべてのアクチュエータを制御し、カメラユニット１０２と通信する制御プログラムが格納されている。
【００２４】
制御系は、ズームレンズアクチュエータ１０９、フォーカスレンズアクチュエータ１１１、アイリスアクチュエータ１１０、第１及び第２のレンズドライバ回路１１３，１１５、アイリスドライバ回路１１４で構成されている。
【００２５】
ズームレンズアクチュエータ１０９は変倍レンズ１０４を駆動し、アイリスアクチュエータ１１０は絞り１０５を駆動し、フォーカスレンズアクチュエータ１１１はフォーカスレンズ１０８を駆動する。
【００２６】
第１のレンズドライバ回路１１３はズームレンズアクチュエータ１０９に駆動信号を出力し、第２のレンズドライバ回路１１５はフォーカスレンズアクチュエータ１１１に駆動信号を出力する。アイリスドライバ回路１１４はアイリスアクチュエータ１１０へ駆動信号を出力する。
【００２７】
レンズシステムコントローラ１１６は、各ドライバ回路への制御信号の出力制御を始めとする各種制御（システム制御）を行う。
【００２８】
より詳細には、レンズシステムコントローラ１１６は、カメラユニット１０２との通信で得られたズーム方向（望遠または広角）データと変倍速度データ、及びフォーカス評価値から、変倍動作及びフォーカス動作のための制御データを生成する。
【００２９】
それから、レンズシステムコントローラ１１６は、生成した制御データを制御信号として第１及び第２のレンズドライバ回路１１３，１１５に出力し、変倍レンズ１０４、フォーカスレンズ１０８を駆動させる。
【００３０】
更に、レンズシステムコントローラ１１６は、カメラユニット１０２との通信で得られた露出評価値から絞り１０５による露出制御データを生成し、制御信号としてアイリスドライバ回路１１４に出力し絞り１０５を駆動させる。
【００３１】
第１のフラッシュメモリ１１７は、フォーカス制御・変倍制御の各種パラメータ、及び調整データを格納する。
【００３２】
第１のフラッシュメモリ１１７は、レンズシステムコントローラ１１６とバス接続されていて、必要に応じてレンズシステムコントローラ１１６から読み出される。
【００３３】
第１のフラッシュメモリ１１７は、レンズシステムコントローラ１１６にて動作する制御プログラム、該プログラムのバージョン、レンズユニット１０１に関する光学データ、レンズユニット１０１自身を識別する固有識別データを格納している。換言すれば、第１のフラッシュメモリ１１７（第３の記録媒体）は、レンズユニット１０１に関する情報（レンズユニット１０１自身の固有識別データや光学データなど）が記録されている。また、必要に応じてこれらの情報がレンズシステムコントローラ１１６に読み出される。
【００３４】
レンズユニット１０１とカメラユニット１０２の接続部は、レンズ側接点１２７とカメラ側接点１２８によって接続される。
【００３５】
接点１２７，１２８の通信端子を介してレンズシステムコントローラ１１６は、後述するカメラシステムコントローラ１２５と通信を行うことができる。また、接点１２７，１２８の電源端子を介してカメラユニット１０２からレンズユニット１０１へ電源供給も行うことができる。
【００３６】
以上がレンズユニット１０１の構成である。
【００３７】
次にカメラユニット１０２の構成について説明する。
【００３８】
カメラユニット１０２は、撮像系と、制御系と、接続部と、表示部と、を有する。
【００３９】
撮像系は、撮像素子１１８、アナログフロントエンド（ＡＦＥ）回路１１９、カメラ信号処理回路１２１、ＯＳＤ回路１２２、ビデオ信号処理回路１２３を有する。
【００４０】
レンズユニット１０１の光学系を通った光は撮像素子１１８上で結像し、光電変換される。このように、撮像素子１１８は、レンズユニット１０１により形成される被写体像を光電変換する撮像手段として機能する。
【００４１】
変換された電気信号は、タイミングジェネレータ１２０の所定のタイミングで読み出され、ＡＦＥ回路１１９でサンプリング、ゲイン制御、Ａ／Ｄ変換の各処理を行いデジタル信号に変換される。
【００４２】
カメラ信号処理回路１２１は、ＡＦＥ回路１１９が出力したデジタル信号を映像信号に変換し、露出制御に必要な露出評価値、ホワイトバランス制御に必要な色差評価値、さらにフォーカス制御に必要なフォーカス評価値を生成する。
【００４３】
また、カメラ信号処理回路１２１は、カメラシステムコントローラ１２５からの要求に応じて、ホワイトバランス、カラーバランス、ガンマをはじめとする画質設定制御を行う。
【００４４】
ＯＳＤ回路１２２はカメラ信号処理回路１２１が出力した映像信号に所定の文字やグラフィック情報を合成し、出力する。
【００４５】
ビデオ信号処理回路１２３はＯＳＤ回路１２２が出力した映像信号を所定フォーマットの映像信号にし、外部出力する。
【００４６】
制御系は、レンズユニット検出回路１３４、第２のフラッシュメモリ１２４、カメラシステムコントローラ１２５、操作キー検知回路１２６、外部通信回路１２９、外部メモリ通信部１３１、外部メモリ１３２、入力部１３３を有する。
【００４７】
レンズユニット検出回路１３４（アクセサリー検出回路）は、レンズユニット１０１がカメラユニット１０２に装着されたことを検出し、その情報をカメラシステムコントローラ１２５へ出力する。
【００４８】
第２のフラッシュメモリ１２４は、露出、ホワイトバランス、画質制御の各種パラメータ、調整データ、カメラユニット１０２を制御する制御プログラム、制御データ、及びカメラユニット１０２を識別する識別データを格納する不揮発性メモリである。
【００４９】
更にレンズユニット１０１と通信することにより得られる、レンズ識別データ、レンズ制御データ（光学データ等）、レンズ調整データが格納可能である。
【００５０】
なお、この第２のフラッシュメモリ１２４（第２の記録媒体）は、後述するカメラユニット１０２に着脱可能に取り付けられる外部メモリ（第１の記録媒体）よりも通信速度が速く、カメラシステムコントローラ１２５と高速に通信することができる。
【００５１】
操作キー検知回路１２６は、ユーザー操作によるキーの状態を検知し、カメラシステムコントローラ１２５に通知する。
【００５２】
カメラシステムコントローラ１２５は、カメラ信号処理回路１２１と第２のフラッシュメモリ１２４とバス接続されている。なお、第２のフラッシュメモリ１２４は、本実施例ではカメラシステムコントローラ１２５の内部のフラッシュメモリ領域であるが、これに限定されず、カメラシステムコントローラ１２５の外部に設けられても良い。換言すれば、第２のフラッシュメモリ１２４は、カメラシステムコントローラ１２５の外部に設けられても、カメラシステムコントローラ１２５の内部に組み込まれてもどちらでもよい。
【００５３】
カメラシステムコントローラ１２５は、カメラ信号処理回路１２１が生成した露出、色差、フォーカスの各評価値の取得や、第２のフラッシュメモリ１２４に格納されている各種パラメータを読み出すことができる。
【００５４】
また、カメラシステムコントローラ１２５は、カメラユニット１０２の各種キースイッチの読み取りを操作キー検知回路１２６にて行い、その結果に従い制御内容を切り替える。
【００５５】
カメラシステムコントローラ１２５は、後述するように外部メモリ１３２の内部に、装着されているレンズユニット１０１に関する情報が記録されている場合は、該情報を第２のフラッシュメモリ１２４に転送する。そして、第２のフラッシュメモリ１２４から取得する情報に基づいて、装着されたレンズユニット１０１を制御するように構成されている。
【００５６】
外部通信回路１２９は外部のＰＣやインターネットと接続してデータを送受信する。
【００５７】
外部メモリ１３２（第１の記録媒体）は、カードやスティック状のリムーバブルメモリであって、カメラユニット１０２に着脱可能に挿入される不揮発性メモリである。また、カメラシステムコントローラ１２５と外部メモリ通信部１３１を介して通信可能に構成されている。
【００５８】
外部メモリ１３２は外部メモリ通信部１３１を介してカメラシステムコントローラ１２５に接続されていて、撮像素子１１８より取得される画像データ（撮影された画像データ）、及びカメラユニット１０２を制御する制御プログラムを格納可能である。更に、レンズユニット１０１を制御する制御プログラム、レンズユニット１０１に関する光学データ、レンズユニット１０１自身を識別する固有識別データ（すなわち、レンズユニット１０１に関する情報）を格納可能である。
【００５９】
外部メモリ１３２に格納されているデータは、カメラシステムコントローラ１２５によって読みだし、及び書き込みが行われる。また、外部メモリ１３２に格納されているデータの更新データがある場合は、外部メモリ１３２を外部のＰＣ等のネットワーク機器に差し込み、外部のＰＣ等により外部メモリ１３２に格納されている古いデータを新しいデータに更新することもできる。また、外部メモリ１３２をカメラユニット１０２に収納した状態で、外部通信回路１２９を介して外部のネットワーク機器から受信した更新データ（新しいデータ）で外部メモリ１３２に格納されている古いデータを更新することもできる。したがって、外部メモリ１３２に格納されているレンズユニット（光学装置）に関する情報は、レンズユニット１０１に格納されている情報と同じであってもよいし、更新により異なっていてもよい。
【００６０】
入力部１３３は、ユーザーが各種の情報を入力するための部位である。
【００６１】
表示部１３０は、液晶ディスプレイからなり、撮像画像の他、各種メッセージを表示する。
【００６２】
以上がカメラユニット１０２の構成の説明である。
【００６３】
以下、本発明の実施例にかかるカメラユニット１０２の制御、および該制御に応じた各メモリの状態について、図２〜８を用いて詳細に説明する。
【００６４】
図２〜４は、本発明の実施例にかかる第１のフラッシュメモリ１１７、第２のフラッシュメモリ１２４、及び外部メモリ１３２に格納されている情報を示すブロック図である。
【００６５】
図５〜８は、本発明の実施例にかかるカメラユニット１０２の制御方法のフローチャートである。
【００６６】
まず、図２〜４に示す、各メモリに格納されている情報について簡単に説明する。
【００６７】
第１のフラッシュメモリ１１７には、レンズＡ（本実施例ではレンズユニット１０１）を制御する光学データ１、及び固有識別データが記録されており、第２のフラッシュメモリ１２４には、外部メモリから光学データを格納する領域が設けられている。外部メモリ１３２には、画像データ、および、これまでに記録されたアクセサリー固有識別データ、更に複数のレンズユニットなどのアクセサリーに関する光学データが記録されている。
【００６８】
図２には、外部メモリ１３２内に、装着されているレンズユニット１０１（レンズＡ）に関する情報が複数記録された状態を示している。ここで、レンズユニット１０１（レンズＡ）に関する情報とは、レンズユニット１０１（レンズＡ）を識別する固有識別データおよびレンズユニット１０１（レンズＡ）の光学データのうち少なくとも１つを含む情報のことである。また、図２では、第１のフラッシュメモリ１１７内に記録されているレンズＡに関する光学データ（光学データ１）と、外部メモリ１３２内に記録されているレンズＡに関する光学データ（光学データ２および光学データ３）は、互いに異なっている。本実施例では、外部メモリ１３２内に記録されている光学データ２、３は、第１のフラッシュメモリ１１７内に記録されている光学データ１を更新した新しいデータである。換言すれば、本実施例において外部メモリ１３２に記録されている光学データは、第１のフラッシュメモリ１１７に記録されている光学データを更新したものである。
【００６９】
次に、図５に示す、本発明の実施例にかかるカメラユニット１０２の制御方法のフローチャートについて詳細に説明する。なお、以下のフローチャートにおけるＳは、ステップを意味する。
【００７０】
まず、Ｓ１０１にて、カメラユニット１０２に外部メモリを挿入する。
【００７１】
次に、Ｓ１０２にて、レンズユニット１０１がカメラユニット１０２に装着されることにより、カメラシステムコントローラ１２５は、レンズユニット検出回路１３４によりレンズユニット１０１の装着を確認する。
【００７２】
レンズユニット１０１が装着されたことを確認したら、カメラシステムコントローラ１２５は、レンズシステムコントローラ１１６との通信を開始する。
【００７３】
Ｓ１０３にて、レンズシステムコントローラ１１６は、第１のフラッシュメモリ１１７に記載されていたアクセサリー固有識別データを、カメラシステムコントローラ１２５に通信により送信する。
【００７４】
Ｓ１０４にて、カメラシステムコントローラ１２５は、外部メモリ１３２に記録されたアクセサリー固有識別データを読み出し、Ｓ１０３で送信されたアクセサリー固有識別データと比較を行う。
【００７５】
ここで、外部メモリ１３２に記録されたアクセサリー固有識別データが、図２に示すように装着されているレンズユニット１０１のアクセサリー固有識別データを記録している場合は、次のステップＳ１０６に進む。
【００７６】
一方、装着されているレンズユニット１０１のアクセサリー固有識別データが、図３（ａ）に示すように外部メモリ１３２にまだ記録されていない場合は、Ｓ１０５にて、外部メモリ１３２にアクセサリー固有識別データを書込む。換言すれば、カメラシステムコントローラ１２５は、レンズユニット１０１がカメラユニット１０２に装着されたときに、まずレンズユニット１０１から該レンズユニット１０１を識別する固有識別データを取得する。そして、外部メモリ１３２に該固有識別データが無い場合は、外部メモリ１３２に該固有識別データを記録する。
【００７７】
次に、Ｓ１０６にて、カメラシステムコントローラ１２５は、外部メモリ１３２内に、装着されているレンズユニット１０１の光学データが記録されているか確認をする。
【００７８】
ここで、図３（ｂ）に示すように外部メモリ１３２内に、装着されているレンズユニット１０１の光学データが書き込まれていない時はＳ１２１に進み、レンズユニット１０１内の第１のフラッシュメモリ１１７に記録される光学データ１を使用するよう制御する。
【００７９】
Ｓ１２２では、カメラシステムコントローラ１２５は、不図示の撮影ＳＷによる撮影準備動作または撮影開始動作の指示を受け付けたか否か判定する。本実施例においては、不図示の撮影ＳＷが半押しされたとき（撮影ＳＷ  ＯＮ）に撮影準備動作の開始の指示があったと判定し、不図示の撮影ＳＷが全押しされたとき（撮影ＳＷ  ＯＮ）に撮影開始動作の開始の指示があったと判定する。Ｓ１２２にて、撮影ＳＷがＯＮとなった場合、Ｓ１２３にて、カメラシステムコントローラ１２５は、通信によりレンズユニット１０１内のフラッシュメモリ１１７内部に記録されている光学データ１を読み出す。そして、Ｓ１２４にて、カメラシステムコントローラ１２５は、レンズユニット１０１を制御し撮影シーケンスをスタートさせる。換言すれば、外部メモリ１３２の内部に、装着されているレンズユニット１０１の光学データが記録されていない場合、該レンズユニット１０１内のフラッシュメモリ１１７から光学データ１を取得し、該レンズユニット１０１を制御する。
【００８０】
一方、Ｓ１０６にて、外部メモリ１３２内に、図２に示すように装着されているレンズユニット１０１の光学データが書き込まれている場合は次のＳ１０７へ進む。
【００８１】
Ｓ１０７では、使用する光学データを選択する設定が、入力部１３３によりユーザーによって指定された光学データを使用するユーザー選択モードの設定か、カメラシステムコントローラ１２５が光学データを選択するオートモードの設定になっているか判断する。使用する光学データを選択する設定が、ユーザー選択モードである場合はＳ１３０（図６）へ進み、オートモードである場合はＳ１０８へ進む。
【００８２】
図５では、使用する光学データを選択する設定が、オートモード（カメラシステムコントローラ１２５が選択するモード）になっている場合を説明する。ユーザー選択モードについては図６を用いて後述する。
【００８３】
Ｓ１０８にて、カメラシステムコントローラ１２５は、図２に示す外部メモリ１３２内の光学データ２、光学データ３、及び第１のフラッシュメモリ１１７に記録されている光学データ１の中からどれを使用するか選択する。
【００８４】
この選択時には、カメラユニット１０２が対応できる光学データをカメラシステムコントローラ１２５が判断する。本実施例における外部メモリ１３２には、図２に示すようにレンズユニット１０１に関する複数の情報（光学データ２および光学データ３）が記録されている。また、第１のフラッシュメモリ１１７にはレンズユニット１０１に関する一つの情報（光学データ１）が記録されている。カメラシステムコントローラ１２５は、これらレンズユニット１０１に関する複数の情報（光学データ１、光学データ２、光学データ３）からカメラユニット１０２に応じた情報を使用するように選択する。
【００８５】
ここでは、光学データ２を選択したケース（Ｓ１０９〜Ｓ１１８）を説明する。光学データ３を選択したケース（Ｓ１１９、Ｓ１２０、Ｓ１１０〜Ｓ１１８）の場合も同じシーケンスである。また、光学データ１に関しては上述したＳ１０６からステップＳ１２１へ進んだ時と同じシーケンスとなる。
【００８６】
Ｓ１０９にて、カメラシステムコントローラ１２５は、選択した光学データ２を使用するように制御する。
【００８７】
次に、Ｓ１１０にて、カメラシステムコントローラ１２５内の第２のフラッシュメモリの残容量で、光学データ２を記録可能かどうか判断する。
【００８８】
ここで可能な場合（Ｓ１１０のＹ）は、Ｓ１１１にて、更にカメラシステムコントローラ１２５は内部の第２のフラッシュメモリ１２４から光学データを読み出すか否か選択をする。一方、記録不可能な場合（Ｓ１１０のＮ）は、Ｓ１１７にて、不図示の撮影ＳＷによる撮影準備動作または撮影開始動作の指示を受け付けたか否か判定する。Ｓ１１７にて、該指示を受け付けたと判定すると、カメラシステムコントローラ１２５は、外部メモリ１３２より光学データ２を直接読み出す。換言すれば、第２のフラッシュメモリ１２４の空き容量が所定量以下である場合は、外部メモリ１３２から光学データ２を直接取得する。
【００８９】
この選択においては、第２のフラッシュメモリ１２４の容量、及び外部メモリ１３２の通信速度、バスの使用状況等を考えて、カメラシステムコントローラ１２５が判断する。
【００９０】
カメラシステムコントローラ１２５が、第２のフラッシュメモリ１２４から光学データ２を読み出すと判断した場合（Ｓ１１１のＹ）は、Ｓ１１２にて、外部メモリ１３２より光学データ２を図４（ａ）に示すように第２のフラッシュメモリ１２４に転送する。換言すれば、第２のフラッシュメモリ１２４の空き容量が所定量より大きい場合は、外部メモリ１３２から光学データ２を第２のフラッシュメモリ１２４に転送する。
【００９１】
Ｓ１１３にて、カメラシステムコントローラ１２５は、光学データ２の転送中に、不図示の撮影ＳＷによる撮影準備動作または撮影開始動作の指示を受け付けたか否か判定する。Ｓ１１４にて、該指示を受け付けずに、光学データ２の転送が終了したら、Ｓ１１５にて、カメラシステムコントローラ１２５は撮影準備動作または撮影開始動作の指示があるまで待機する。光学データ２の転送が終了したときの第２のフラッシュメモリの状態は、図４（ｂ）の状態となる。
【００９２】
Ｓ１１５にて、撮影準備動作または撮影開始動作の指示があった場合（Ｓ１１５のＹ）は、カメラシステムコントローラ１２５は、Ｓ１１６にて、第２のフラッシュメモリ１２４より、光学データ２を読み出す。そして、Ｓ１２４にて、レンズユニット１０１を制御し撮影シーケンスをスタートさせる。
【００９３】
一方、Ｓ１１３にて、光学データ２の転送中に、撮影準備動作または撮影開始動作の指示があった場合（Ｓ１１３のＮ）には、転送を中断し、カメラシステムコントローラ１２５は、Ｓ１１８にて、外部メモリ１３２より光学データ２を直接読み出す。そして、Ｓ１２４にて、レンズユニット１０１を制御し撮影シーケンスをスタートさせる。換言すれば、光学データを第２のフラッシュメモリ１２４に転送している間に、撮影準備動作または撮影開始動作の指示があった場合は、該転送を中断し、外部メモリ１３２から光学データ２を取得する。
【００９４】
なお、Ｓ１１３にて、光学データの転送中に、撮影準備動作または撮影開始動作の指示があった場合（Ｓ１１３のＮ）、光学データの読み出し先は外部メモリ１３２に限定されない。例えば、カメラシステムコントローラ１２５は、図７、図８に示すように、光学データの読み出し先を、通信によりレンズユニット１０１内のフラッシュメモリ１１７内部に記録されている光学データ１を読み出すようにしてもよい。換言すれば、光学データ２を第２のフラッシュメモリ１２４に転送している間に、撮影準備動作または撮影開始動作の指示があった場合は、該転送を中断し、レンズユニット１０１から光学データ１を取得するように制御してもよい。
【００９５】
次に、図５のＳ１０７にてユーザー選択モードを設定した場合（Ｓ１０７のＮ）のＳ１３０以降のステップについて、図６を用いて説明する。
【００９６】
Ｓ１０７にて、ユーザー選択モードとなっている場合は、ユーザーが予め入力部１３３より入力した光学データを選択する。
【００９７】
外部メモリ１３２に記録された光学データ２を選択した際は、カメラシステムコントローラ１２５は、Ｓ１３１にて、カメラユニット１０２が選択された光学データに対応しているか判断する。同様に、外部メモリ１３２に記録された光学データ３を選択した際は、カメラシステムコントローラ１２５は、Ｓ１３２にて、カメラユニット１０２が選択された光学データに対応しているか判断する。
【００９８】
Ｓ１３１，Ｓ１３２にて、もし対応していない場合は、カメラシステムコントローラ１２５は、Ｓ１２１にて、レンズユニット１０１内のフラッシュメモリ１１７に記録されている光学データ１を選択するよう制御する。
【００９９】
これ以降のシーケンスは上述と同様であるため、説明を省略する。
【０１００】
次に、本発明の外部メモリ１３２に記録されているデータの消去について説明する。
【０１０１】
外部メモリ１３２に記録されている画像データをカメラユニット１０２より消去する際には、アクセサリー固有識別データ領域、及びアクセサリー光学データ領域は消去されず、画像データ領域のみ消去される。このように、カメラシステムコントローラ１２５は、外部メモリ１３２に記録されている画像データを消去する場合は、該画像データのみを消去し、装着されたことのあるレンズユニットに関する情報は消去せずに残すよう制御する。
【０１０２】
アクセサリー固有識別データ領域、またはアクセサリー光学データ領域を消去する場合には、カメラユニット１０２より領域を選択して消去、又は全データ初期化を行うか、ＰＣ等の情報機器より消去する。
【０１０３】
以上、本発明によれば、光学装置の制御情報を光学機器本体が外部メモリより読みだす事により高速な処理ができ、更に最新で最適な制御情報により光学装置を制御する事が可能となる。したがって、光学装置の制御に有利な光学機器および光学機器システムを提供することができる。
【０１０４】
以上、本発明の好ましい実施形態について説明したが、本発明はこれらの実施形態に限定されず、その要旨の範囲内で種々の変形及び変更が可能である。
【産業上の利用可能性】
【０１０５】
本発明は、コンパクトデジタルカメラ、一眼レフカメラ、ビデオカメラなどの撮像装置に好適に利用できる。
【符号の説明】
【０１０６】
１０２  カメラユニット
１２４  第２のフラッシュメモリ
１２５  カメラシステムコントローラ
【図１】
2016032250.tif 000003
【図２】
2016032250.tif 000004
【図３】
2016032250.tif 000005
【図４】
2016032250.tif 000006
【図５】
2016032250.tif 000007
【図６】
2016032250.tif 000008
【図７】
2016032250.tif 000009
【図８】
2016032250.tif 000010